【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
音響磁気（「ＡＭ」）電子商品監視（「ＥＡＳ」）コンポーネントであって、前記ＡＭ  ＥＡＳコンポーネントが、画定された表面区域を有するハウジングを含み、前記画定された表面区域が、周辺境界を有し、かつ、ＥＡＳコンポーネント平面を画定するＡＭ  ＥＡＳコンポーネントと、
無線周波数識別（「ＲＦＩＤ」）コンポーネントであって、前記ＲＦＩＤコンポーネントが、ＲＦＩＤ集積回路およびダイポールアンテナを含み、前記集積回路および前記ダイポールアンテナが、ＲＦＩＤコンポーネント平面を画定し、前記ＲＦＩＤコンポーネント平面が、前記ＥＡＳコンポーネント平面と実質的に共平面であり、前記集積回路および前記ダイポールアンテナが、前記ＡＭ  ＥＡＳコンポーネントの前記周辺境界に沿って外側に配置され、前記ダイポールアンテナの第１部分は前記AM  ＥＡＳコンポーネントの前記周辺境界の第１半分周りに折り畳まれ、前記ダイポールアンテナの第２部分は前記AM  ＥＡＳコンポーネントの前記周辺境界の第２半分周りに折り畳まれ、前記第１部分と第２部分とは前記ＥＡＳコンポーネント平面と共平面であり、前記第１および第２部分の端部間に隙間を形成し、前記隙間は前記ＲＦＩＤ集積回路の位置から前記周辺境界の反対側に位置する、ＲＦＩＤコンポーネントと、を備え；
前記ＲＦＩＤアンテナは前記ＥＡＳコンポーネントの近接効果を含むアンテナインピーダンスを有し、前記ＲＦＩＤアンテナのインピーダンスが、ＲＦＩＤチップの複素共役となる；
セキュリティタグ。
【請求項２】
前記ダイポールアンテナが、前記ＥＡＳコンポーネントの前記周辺境界の少なくとも５０パーセントを取り囲む、請求項１に記載されるセキュリティタグ。
【請求項３】
前記第１部分および第２部分が、前記ＥＡＳコンポーネントの前記周辺境界の最大で１０ｍｍ外側に配置される、請求項１に記載されるセキュリティタグ
【請求項４】
前記第１部分および第２部分が、少なくとも１つの直線状アンテナセグメントを含む、請求項１に記載されるセキュリティタグ。
【請求項５】
前記第１部分および第２部分が、少なくとも１つのメアンダラインアンテナセグメントを含む、請求項１に記載されるセキュリティタグ。
【請求項６】
前記第１部分および第２部分が、ＥＡＳコンポーネント横方向軸およびＥＡＳコンポーネント長手方向軸のうち少なくとも１つに対して非対称に配置される、請求項１に記載されるセキュリティタグ。
【請求項７】
前記ハウジングが横方向軸を有し、前記第１部分および第２部分が、前記横方向軸または長手方向軸を中心にして対称である、請求項１に記載されるセキュリティタグ。
【請求項８】
前記ＲＦＩＤコンポーネントが、前記ＥＡＳハウジングに固定される、請求項１に記載されるセキュリティタグ。
【請求項９】
無線周波数識別（「ＲＦＩＤ」）／電子商品監視（「ＥＡＳ」）組合せシステムであって、前記システムが、
ＥＡＳおよびＲＦＩＤ問合せ信号を発生させる無線周波数識別リーダと、
前記ＥＡＳおよびＲＦＩＤ問合せ信号を受信し、応答信号を送信するように構成されるセキュリティタグと、を備え、前記セキュリティタグが、
音響磁気（「ＡＭ」）ＥＡＳコンポーネントであって、前記ＥＡＳコンポーネントが、画定された表面区域を有するハウジングを含み、前記画定された表面区域が、周辺境界を有し、かつ、ＥＡＳコンポーネント平面を画定するＡＭ  ＥＡＳコンポーネントと、
ＲＦＩＤコンポーネントであって、前記ＲＦＩＤコンポーネントが、ＲＦＩＤ集積回路およびダイポールアンテナを含み、前記集積回路および前記ダイポールアンテナが、ＲＦＩＤコンポーネント平面を画定し、前記ＲＦＩＤコンポーネント平面が、前記ＥＡＳコンポーネント平面と実質的に共平面であり、前記集積回路および前記ダイポールアンテナが、前記ＥＡＳコンポーネントの前記周辺境界に沿って外側に配置され、前記ダイポールアンテナの第１部分は前記AM  ＥＡＳコンポーネントの前記周辺境界の第１半分周りに折り畳まれ、前記ダイポールアンテナの第２部分は前記AM  ＥＡＳコンポーネントの前記周辺境界の第２半分周りに折り畳まれ、前記第１部分と第２部分とは前記ＥＡＳコンポーネント平面と共平面であり、前記第１および第２部分の端部間に隙間を形成し、前記隙間は前記ＲＦＩＤ集積回路の位置から前記周辺境界の反対側に位置する、ＲＦＩＤコンポーネントと、を備え；
前記ＲＦＩＤアンテナは前記ＥＡＳコンポーネントの近接効果を含むアンテナインピーダンスを有し、前記ＲＦＩＤアンテナのインピーダンスが、ＲＦＩＤチップの複素共役となる；
システム。
【請求項１０】
前記アンテナが、前記ＥＡＳコンポーネントの前記周辺境界の少なくとも５０パーセントを取り囲む、請求項９に記載されるシステム。
【請求項１１】
前記第１部分および第２部分が、前記ＥＡＳコンポーネントの前記周辺境界の最大で１０ｍｍ外側に配置される、請求項９に記載されるシステム。
【請求項１２】
前記第１部分および第２部分が、少なくとも１つの直線状アンテナセグメントを含む、請求項9に記載されるシステム。
【請求項１３】
前記第１部分および第２部分が、少なくとも１つのメアンダラインアンテナセグメントを含む、請求項９に記載されるシステム。
【請求項１４】
前記第１部分が、前記ＲＦＩＤ集積回路から延びて反時計回り方向に配置され、前記第２部分が、前記ＲＦＩＤ集積回路から延びて時計回り方向に配置される、請求項９に記載されるシステム。
【請求項１５】
前記ハウジングが、横方向軸および前記横方向軸に垂直な長手方向軸を含み、前記第１部分および前記第２部分が、前記横方向軸および前記長手方向軸のうち１つに関して対称である、請求項9に記載されるシステム。
【請求項１６】
前記ＲＦＩＤコンポーネントが、前記ＥＡＳハウジングに固定される、請求項９に記載されるシステム。
【請求項１７】
組合せタグを構築する方法であって、前記方法が、
周辺境界を含む音響磁気（「ＡＭ」）電子商品監視（「ＥＡＳ」）コンポーネントを提供するステップであって、前記ＡＭ  ＥＡＳコンポーネントが周辺境界を含むステップと、
無線周波数識別（「ＲＦＩＤ」）コンポーネントを前記ＥＡＳコンポーネントに固定するステップであって、前記ＲＦＩＤコンポーネントが、ＲＦＩＤダイポールアンテナを有し、前記ダイポールアンテナの第１部分は前記AM  ＥＡＳコンポーネントの前記周辺境界の第１半分周りに折り畳まれ、前記ダイポールアンテナの第２部分は前記AM  ＥＡＳコンポーネントの前記周辺境界の第２半分周りに折り畳まれ、前記第１部分と第２部分とは前記ＥＡＳコンポーネント平面と共平面であり、前記第１および第２部分の端部間に隙間を形成し、前記隙間は前記ＲＦＩＤ集積回路の位置から前記周辺境界の反対側に位置する、ステップと、を含み；
前記ＲＦＩＤアンテナは前記ＥＡＳコンポーネントの近接効果を含むアンテナインピーダンスを有し、前記ＲＦＩＤアンテナのインピーダンスが、ＲＦＩＤチップの複素共役となる；
方法。
【請求項１８】
前記第１部分および第２部分が、ＥＡＳコンポーネント横方向軸およびＥＡＳコンポーネント長手方向軸のうち少なくとも１つに対して非対称に配置される、請求項１７に記載される方法。
【請求項１９】
前記第１部分および第２部分が、少なくとも１つのメアンダラインアンテナセグメントを含む、請求項１７に記載される方法。